(57)【要約】【課題】暗号化さているコンテンツの復号するための復号鍵を第三者が取得することが困難になること。【解決手段】暗号化コンテンツ情報をユーザに配布するための処理と，ユーザから鍵代金又は鍵代金支払い済み情報を受けると暗号化コンテンツ情報に対応する暗号化鍵情報を暗号化鍵情報を用いて復号する処理と、復号された鍵情報をユーザに配布するための処理と、ユーザに配布した鍵情報に対応する暗号化コンテンツ情報を示すコンテンツＩＤ、鍵情報を配布したユーザを示すユーザＩＤ、及び暗号化コンテンツ情報を配布した業者又はユーザを示す配布者ＩＤの組を管理するための処理と、鍵代金に相当する鍵代金情報又は鍵代金支払い済み情報と各ＩＤを含む情報を管理装置に受け渡すための処理とを実行するプロセッサ１０１を具備する。【選択図】    図７
2010039567.tif 000002
【特許請求の範囲】
【請求項１】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの配布装置であって、
前記暗号化コンテンツ情報と、前記鍵情報が暗号化された暗号化鍵情報とが格納されている第１記憶装置と、
前記暗号化鍵情報を復号するための暗号化鍵復号情報が格納されている第２記憶装置と、
前記暗号化コンテンツ情報を前記ユーザに配布するための処理と、前記ユーザから前記鍵代金又は前記鍵代金支払い済み情報を受けると、前記暗号化コンテンツ情報に対応する暗号化鍵情報を前記暗号化鍵情報を用いて復号する処理と、復号された前記鍵情報を前記ユーザに配布するための処理と、前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を管理装置に受け渡すための処理とを実行するプロセッサとを具備することを特徴とする配布装置。
【請求項２】
前記プロセッサおよび前記第２記憶装置は、マザーボード上に実装されていることを特徴とする請求項１に記載の配布装置。
【請求項３】
前記第１記憶装置は、リムーバルハードディスクドライブであることを特徴とする請求項１に記載の配布装置。
【請求項４】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの管理装置であって、
前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を受け取ると、前記配布者ＩＤに基づいて、前記暗号化コンテンツ情報を配布した業者又はユーザに、前記鍵代金の範囲内で利益を分配するための処理を実行する利益分配手段を具備することをと特徴とする管理装置。
【発明の詳細な説明】
【技術分野】
【０００１】
本発明は、電子書籍（ｅＢｏｏｋ）、音楽、動画等の任意のコンテンツの流通に用いられるコンテンツ流通システムの配布装置および管理装置に関する。
【背景技術】
【０００２】
コンテンツの流通をより容易にし得るコンテンツ流通システムが特許文献１に記述されている。特許文献１に記載されている技術は、配布窓口装置と管理センタ装置とがネットワークを介して常時接続さていることを念頭にした技術である。
【特許文献１】特開２００４−９４６７７号公報
【発明の開示】
【発明が解決しようとする課題】
【０００３】
配布窓口装置の設置箇所によっては、配布窓口装置と管理センタ装置とを常時接続することが困難な場合がある。そこで、暗号化されているコンテンツを復号するための復号鍵を配布窓口装置に格納したいという要求がある。しかし、復号鍵を配布窓口装置に格納すると、復号鍵が盗まれる等のセキュリティ上の問題が発生する。
【０００４】
本発明の目的は、暗号化さているコンテンツの復号するための復号鍵を第三者が取得することが困難な配布装置および管理装置を提供することにある。
【課題を解決するための手段】
【０００５】
本発明の一例に係わる配布装置は、暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの配布装置であって、前記暗号化コンテンツ情報と、前記鍵情報が暗号化された暗号化鍵情報とが格納されている第１記憶装置と、前記暗号化鍵情報を復号するための暗号化鍵復号情報が格納されている第２記憶装置と、前記暗号化コンテンツ情報を前記ユーザに配布するための処理と、前記ユーザから前記鍵代金又は前記鍵代金支払い済み情報を受けると、前記暗号化コンテンツ情報に対応する暗号化鍵情報を前記暗号化鍵情報を用いて復号する処理と、復号された前記鍵情報を前記ユーザに配布するための処理と、前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を管理装置に受け渡すための処理とを実行するプロセッサとを具備することを特徴とする。
【発明の効果】
【０００６】
本発明によれば、暗号化さているコンテンツの復号するための復号鍵を第三者が取得することが困難になる。
【発明を実施するための最良の形態】
【０００７】
本発明の実施の形態を以下に図面を参照して説明する。
【０００８】
図１は本発明の第１の実施形態に係るコンテンツ流通システムの構成を示す模式図である。このコンテンツ流通システムは、管理センタ装置１０、配布窓口装置２０、コンテンツ記憶媒体３０、鍵記憶媒体４０及びユーザ端末５０から構成されている。
【０００９】
ここで、管理センタ装置１０は、配布窓口装置２０からの通知（鍵代金情報を含む購入履歴情報２２）に基づいて、対応する配布手数料情報を配布窓口装置２０に送信する機能をもっている。なお、鍵代金情報は、鍵代金支払い済み情報としてもよい。
【００１０】
ここで、コンテンツ・鍵ＤＢ１、コンテンツ・鍵ＤＢ２１は、図２に示すように、暗号化コンテンツ情報毎に、暗号化鍵情報及びコンテンツ提供者ＩＤの組を保持するものであるが，場合によりコンテンツに関係するその他の情報を記録しても良い。なお、コンテンツ提供者とは、コンテンツの著作権を有する者で、本コンテンツ流通システムでコンテンツを流通させたいと考えている者のことを指す。また、各ＤＢ（データベース）は、メモリやハードディスク等のハードウェア構成で実現可能であり、データ記憶装置と読み替えても良い。
【００１１】
暗号化コンテンツ情報は、図３に示すように、コンテンツＩＤ毎に、閲覧ルール（コンテンツ提供者が定めるコンテンツの閲覧規則、管理情報）、閲覧履歴、電子コンテンツ（平文の第１部分、システム鍵で暗号化した第２部分、コンテンツ鍵で暗号化した第３部分）、流通履歴（販売窓口ＩＤ、最初の紹介者のユーザＩＤ、次の紹介者のユーザＩＤ、...）を備えたものである。
【００１２】
なお、本コンテンツ流通システム中、コンテンツと呼ぶのは、電子コンテンツと閲覧ルールなどの情報を含んだものを意味している。また、システム鍵とは、本コンテンツ流通システム中、管理センタ装置１０と、ユーザ端末５０とが共有している鍵を意味している。
【００１３】
暗号化鍵情報を復号した鍵情報は、図４に示すように、コンテンツＩＤ毎に、コンテンツ鍵（暗号化コンテンツを復号する鍵）及び鍵属性（鍵情報のもつ属性、例えば利用期限など）を備えたものである。すなわち、本コンテンツ流通システム中、鍵情報は一つの固まりとして送受信される。
【００１４】
購入履歴ＤＢ２は、図５に示すように、購入履歴ＩＤ毎に、コンテンツＩＤ、購入者のユーザＩＤ、後述する決算窓口ＩＤ、及び流通履歴を保持するものである。なお、購入者のユーザは、後述するが、紹介者になることも可能である。流通履歴は、配布した者のＩＤの履歴であり、始めは配布窓口ＩＤであるが、次以降はその暗号化コンテンツを紹介したユーザを示すユーザＩＤとなる。
【００１５】
配布窓口装置２０は、予め自装置２０を示す配布窓口ＩＤを保持し、この配布窓口ＩＤや暗号化コンテンツ等の配布機能、及び購入履歴管理機能を有するコンピュータであり、例えば（１）駅の売店やコンビニエンスストア等に配置された端末装置、（２）書店に配置された端末装置、（３）インターネットに接続されたサーバ装置（Ｗｅｂ上のバーチャル店舗）、（４）暗号化コンテンツを無線で入力するホットスポット（例、駅の自動改札機や任意場所の喫煙所（灰皿など）に配置された送信局）、（５）ＣＤショップ等に配置されたＣＤ−ＲＯＭやＤＶＤの頒布装置、といった任意の形態により実現可能となっている。
【００１６】
また、配布窓口装置２０もコンテンツ・鍵ＤＢ１と同じコンテンツ・鍵ＤＢ２１を有する。
【００１７】
なお、前述した配布機能は、具体的には次の各機能（Ｄ１）〜（Ｄ７）から構成されている。
【００１８】
（Ｄ１）  ユーザの操作により、コンテンツ記憶媒体３０が挿入されると、鍵記憶媒体４０内のユーザＩＤを読出す機能。
【００１９】
（Ｄ２）  鍵記憶媒体４０が挿入されると、コンテンツ記憶媒体３０内のコンテンツ自動引出情報からダウンロードするコンテンツＩＤを読出す機能。ここで、コンテンツ自動引出情報は、ダウンロードする暗号化コンテンツ情報を予め指定するための情報であり、単なるＩＤ情報に限らず、曜日や日付等の時間情報とＩＤ情報とを組合せたＩＤ制御情報としてもよい。ＩＤ制御情報の場合、例えば月曜日は、ある暗号化コンテンツ情報をダウンロードし、火曜日は、他の暗号化コンテンツ情報をダウンロードするというように、ダウンロードする暗号化コンテンツ情報を切換える用途に好ましい。
【００２０】
（Ｄ３）  配布窓口装置２０から配布可能なコンテンツのリストを表示して、上記リストからユーザの操作により、ダウンロードするコンテンツＩＤを読み出すコンテンツ指定機能。  
なお、機能（Ｄ２）及び（Ｄ３）は、少なくともいずれか一方があればよい。
【００２１】
（Ｄ４）  ユーザの操作により、鍵代金が入金されると、コンテンツＩＤに基づいてコンテンツ・鍵ＤＢ２１を検索し、該当する暗号化コンテンツ情報があることを確認する機能。
【００２２】
（Ｄ５）  暗号化コンテンツ情報をコンテンツ記憶媒体３０に格納する機能。  
（Ｄ６）  暗号化鍵情報を復号鍵情報を用いて復号する機能。  
（Ｄ７）  鍵記憶媒体４０から鍵記憶媒体ＩＤを読み出し、その鍵記憶媒体ＩＤを利用して鍵情報を鍵暗号化部（図示せず）で暗号化し、鍵記憶媒体に書き込みする機能。
【００２３】
また、前述した購入履歴管理機能は、鍵情報をユーザ端末５０に送信した後、ユーザが購入した暗号化コンテンツ情報のコンテンツＩＤと、鍵代金に相当する鍵代金情報と、ユーザＩＤと、配布窓口ＩＤとを購入履歴情報２２として管理する機能からなる。また、購入履歴管理機能は、購入履歴情報２２を管理センタ装置に送信する。
【００２４】
なお、購入履歴情報２２を管理センタ装置１０に送信する場合、既存の暗号技術を用いて送信内容を保護することが好ましく、これは以下の各実施形態でも同様である。
【００２５】
コンテンツ・鍵ＤＢ２１は、配布窓口装置２０から読出／書込可能なものであり、コンテンツＩＤ毎に、暗号化コンテンツ情報および暗号化鍵情報を保持するものである。
【００２６】
コンテンツ記憶媒体３０は、ユーザに携帯され、暗号化コンテンツ情報を配布窓口装置２０から書込可能でユーザ端末５０から読出可能としたメモリカードであり、配布窓口装置２０からダウンロードする暗号化コンテンツ情報を示すコンテンツ自動引出情報が予め保持されている場合もある。但し、コンテンツ記憶媒体３０は、読出／書込可能なものに限らず、暗号化コンテンツ情報の読出のみ可能としたメモリカードとしてもよい。
【００２７】
鍵記憶媒体４０は、ユーザに携帯され、ユーザＩＤを配布窓口装置２０から読出可能とし、暗号化鍵情報をユーザ端末５０から書込可能としたメモリカードであり、自記憶媒体４０を示す鍵記憶媒体ＩＤ及びユーザを示すユーザＩＤが予め保持されている。なお、鍵記憶媒体４０は、セキュアなものが使用される。
【００２８】
ユーザ端末５０は、コンテンツ記憶媒体３０及び鍵記憶媒体４０を着脱自在に保持する機能を有し、ユーザの操作により、コンテンツ記憶媒体３０内の暗号化コンテンツを鍵記憶媒体４０内の鍵情報により復号し、得られたコンテンツを表示する機能をもっている。ユーザ端末５０は具体的には、専用ビューワー、ＰＣ、汎用ＰＤＡなどが使用可能となっている。
【００２９】
図６は、本発明の一実施形態に係る配布窓口装置、および管理センタ装置の設置形態を示す図である。  
図６に示すように、配布窓口装置２０は、店頭に設置される窓口装置２０Ａと、バックヤードに設置される配布装置２０Ｂとから構成されている。窓口装置２０Ａは、鍵記憶媒体４０が挿入されるスロットを有する。配布装置２０Ｂは、上述した配布機能、及び購入履歴管理機能を実行するためのコンピュータである。配布窓口装置２０は、スイッチングハブ２００をインターネット回線に接続される。また、スイッチングハブ２００には配布窓口装置２０が設置されている箇所に設置されたＰＯＳレジスタ２０１が接続されている。インターネット回線には、データセンター２０２および管理センタ装置１０が接続されている。デーセンターは、ＰＯＳレジスタ２０１からの情報を受信し、一元化し統合したデータを作成する。
【００３０】
スイッチングハブ２００は、通常ＰＯＳレジスタ２０１のみをインターネット回線に接続させる。店舗の閉店時関等に配布窓口装置２０をインターネット回線に接続させる。
【００３１】
図７に配布装置のシステム構成を示す。配布装置は、図７に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ハードディスクドライブ（ＨＤＤ）１１１、ＤＶＤドライブ１１２、エンベデッドコントローラ／キーボードコントローラＩＣ（ＥＣ／ＫＢＣ）１１６、および不揮発性メモリ（ＮＶＭ）１１７等を備えている。
【００３２】
ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、およびエンベデッドコントローラ／キーボードコントローラＩＣ（ＥＣ／ＫＢＣ）１１６、不揮発性メモリ（ＮＶＭ）１１７は、プリント配線基板に実装されている。
【００３３】
ＣＰＵ１０１は配布装置２０の動作を制御するプロセッサであり、ハードディスクドライブ（ＨＤＤ）１１１から主メモリ１０３にロードされる、オペレーティングシステム（ＯＳ）１０３Ａ、および配布アプリケーション１０３Ｂのような各種アプリケーションプログラムを実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。配布アプリケーション１０３Ｂは、配布機能、及び購入履歴管理機能を実現するためのプログラムである。
【００３４】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００３５】
ＧＰＵ１０５は、本配布装置１０のディスプレイモニタを制御する表示コントローラである。このＧＰＵ１０５によって生成される表示信号はディスプレイモニタに送られる。
【００３６】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。サウンドコントローラ１０６は音源デバイスであり、再生対象のオーディオデータをスピーカまたはＨＤＭＩ制御回路に出力する。
【００３７】
ハードディスクドライブ１１１はリムーバルハードディスクドライブである。ハードディスクドライブ１１１には暗号化コンテンツ情報、暗号化鍵情報、および購入履歴情報２２が格納されている。ハードディスクドライブ１１１は、リムーバルハードディスクドライブなので、新たな暗号化コンテンツ情報、および暗号化鍵情報を追加する場合に、新たな暗号化コンテンツ情報および暗号化鍵情報が追加されているハードディスクドライブに交換することで対応することが出来る。よって、新たな暗号化コンテンツ情報、および暗号化鍵情報を追加が容易になる。
【００３８】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本配布装置１０をパワーオン／パワーオフする機能を有している。  
不揮発性メモリ１１７には、暗号化鍵情報を復号するための復号鍵情報が格納されている。
【００３９】
暗号化コンテンツ情報を復号するための復号鍵は暗号化されているので、第三者が暗号化鍵情報を取得しても、第三者は復号鍵を得ることが出来ない。暗号化鍵情報を復号するための復号鍵情報は、プリント配線基板に実装されているので、第三者が復号鍵情報を取得することが困難である。従って、暗号化さているコンテンツの復号するための復号鍵を第三者が取得することが困難になる。
【００４０】
次に、以上のように構成されたコンテンツ流通システムの動作を説明する。
【００４１】
いま、配布窓口装置２０は、ユーザの操作により、コンテンツ記憶媒体３０及び鍵記憶媒体４０が挿入されると、コンテンツ記憶媒体３０内のコンテンツ自動引出情報を読出すか、コンテンツ指定機能のいずれかでコンテンツＩＤを得て、鍵記憶媒体４０内のユーザＩＤを読み出す。
【００４２】
まず、ユーザの操作により、購入するコンテンツが選択されると、配布窓口装置２０に、コンテンツを示す情報（コンテンツＩＤ）が送信される。また、このとき同時に、鍵記録媒体からユーザＩＤ、及び鍵記録媒体ＩＤが読み出され、配布窓口装置２０に送信される（ＳＴ１）。
【００４３】
配布窓口装置２０は、コンテンツＩＤをもとにコンテンツ・鍵ＤＢ２１を検索し、暗号化コンテンツ及びコンテンツの鍵を取得する。そして、鍵代金が入金されると、コンテンツの暗号化されている鍵を不揮発性メモリ１１７に格納されている復号鍵情報を用いて復号する。そして、配布窓口装置２０は、鍵記録媒体ＩＤを用いてコンテンツの鍵を暗号化する（ＳＴ２）。
【００４４】
配布窓口装置２０は、暗号化された鍵情報を鍵記録媒体に書き込み、暗号化コンテンツをコンテンツ記録媒体に書き込む。また、ユーザの購入履歴情報（ユーザＩＤ、コンテンツＩＤの組）を購入履歴情報２２に記録する（ＳＴ３）。
【００４５】
配布窓口装置２０は、あるタイミングで、購入履歴情報２２に記録された、コンテンツＩＤ、ユーザＩＤの組を、流通履歴（配布窓口ＩＤ）と共に管理センタ装置に送信する（ＳＴ４）。この手順は、配布窓口装置２０が管理センタ装置にオンライン接続できるタイミングで行ってもよいし、オンライン接続ができなければ、記録メディアに入れて人が運ぶなど、別の手段を用いてもよい。
【００４６】
管理センタ装置は、ＳＴ４で取得した情報をもとに、配布手数料を配布窓口装置２０に送信する（ＳＴ５）。この送信の方法も、ＳＴ４と同様である。
【００４７】
上述したように本実施形態によれば、複雑な配布経路情報を用いることなく、配布窓口装置２０を示す配布窓口ＩＤを用いて配布者を特定するので、コンテンツ流通システムを簡素化でき、もって、コンテンツの流通をより容易にすることができる。
【００４８】
２重鍵方式に適用することを考える。２重鍵方式とは、特開２００４−１９４２７１号公報に示されるように、コンテンツ鍵を新たに導入したユーザ鍵で暗号化し、ユーザ鍵を鍵記録媒体の鍵で暗号化する方式である。
【００４９】
この場合、配布窓口はコンテンツ鍵に加えて、鍵記録媒体内に使用可能なユーザ鍵が存在しない場合、ユーザ鍵を発行する必要がある。しかし、複数の配布窓口が別々にユーザ鍵を発行する場合、ユーザ鍵ＩＤが重複する可能性がある。
【００５０】
そこで、図８に示すように、発行するユーザ鍵ＩＤの一部に、配布窓口ＩＤを割り当てる。これにより、別々の配布窓口から発行されたユーザ鍵ＩＤが重複する可能性をなくすことができる。
【００５１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５２】
【図１】本発明の第１の実施形態に係るコンテンツ流通システムの構成を示す模式図
【図２】同実施形態におけるコンテンツ・鍵ＤＢの構成を示す模式図
【図３】同実施形態における暗号化コンテンツ情報を説明するための模式図
【図４】同実施形態における鍵情報を説明するための模式図
【図５】同実施形態における購入履歴ＤＢの構成を示す模式図
【図６】本発明の一実施形態に係る配布窓口装置、および管理センタ装置の設置形態を示す図。
【図７】配布装置のシステム構成を示すブロック図。
【図８】ユーザ鍵ＩＤの割当てを示す図。
【符号の説明】
【００５３】
１０…管理センタ装置，２０…配布窓口装置，２０Ａ…窓口装置，２０Ｂ…配布装置，２１…コンテンツ・鍵ＤＢ，２２…購入履歴情報２２，３０…コンテンツ記憶媒体，４０…鍵記憶媒体，５０…ユーザ端末，１０１…ＣＰＵ，１０３Ｂ…配布アプリケーション，１１１…ハードディスクドライブ，１１７…不揮発性メモリ。
【図１】
2010039567.tif 000003
【図２】
2010039567.tif 000004
【図３】
2010039567.tif 000005
【図４】
2010039567.tif 000006
【図５】
2010039567.tif 000007
【図６】
2010039567.tif 000008
【図７】
2010039567.tif 000009
【図８】
2010039567.tif 000010
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの配布装置であって、
前記暗号化コンテンツ情報と、前記鍵情報が暗号化された暗号化鍵情報とが格納されている第１記憶装置と、
前記暗号化鍵情報を復号するための暗号化鍵復号情報が格納されている第２記憶装置と、
前記暗号化コンテンツ情報を前記ユーザに配布するための処理と、前記ユーザから前記鍵代金又は前記鍵代金支払い済み情報を受けると、前記暗号化コンテンツ情報に対応する暗号化鍵情報を前記暗号化鍵復号情報を用いて復号する処理と、復号された前記鍵情報を前記ユーザに配布するための処理と、前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を管理装置に受け渡すための処理とを実行するプロセッサとを具備することを特徴とする配布装置。
【請求項２】
前記プロセッサおよび前記第２記憶装置は、マザーボード上に実装されていることを特徴とする請求項１に記載の配布装置。
【請求項３】
前記第１記憶装置は、リムーバルハードディスクドライブであることを特徴とする請求項１に記載の配布装置。
【請求項４】
暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの管理装置であって、
前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を受け取ると、前記配布者ＩＤに基づいて、前記暗号化コンテンツ情報を配布した業者又はユーザに、前記鍵代金の範囲内で利益を分配するための処理を実行する利益分配手段を具備することをと特徴とする管理装置。
【手続補正２】
【補正対象書類名】明細書
【補正対象項目名】０００５
【補正方法】変更
【補正の内容】
【０００５】
本発明の一例に係わる配布装置は、暗号化コンテンツ情報をユーザに配布し、前記ユーザから鍵代金又は鍵代金支払い済み情報を受けると、前記暗号化コンテンツ情報を復号可能な鍵情報を前記ユーザに配布することにより、コンテンツを流通させるコンテンツ流通システムの配布装置であって、前記暗号化コンテンツ情報と、前記鍵情報が暗号化された暗号化鍵情報とが格納されている第１記憶装置と、前記暗号化鍵情報を復号するための暗号化鍵復号情報が格納されている第２記憶装置と、前記暗号化コンテンツ情報を前記ユーザに配布するための処理と、前記ユーザから前記鍵代金又は前記鍵代金支払い済み情報を受けると、前記暗号化コンテンツ情報に対応する暗号化鍵情報を前記暗号化鍵復号情報を用いて復号する処理と、復号された前記鍵情報を前記ユーザに配布するための処理と、前記ユーザに配布した鍵情報に対応する暗号化コンテンツ情報を示すコンテンツＩＤ、前記鍵情報を配布したユーザを示すユーザＩＤ、及び前記暗号化コンテンツ情報を配布した業者又はユーザを示す配布者ＩＤの組を管理するための処理と、前記鍵代金に相当する鍵代金情報又は前記鍵代金支払い済み情報と前記各ＩＤを含む情報を管理装置に受け渡すための処理とを実行するプロセッサとを具備することを特徴とする。